(57)【要約】【課題】複数の映像音声からなる番組送受信において、ユーザが複数の映像音声の関係を容易に認識し選択可能なデジタル放送送信装置およびデジタル放送受信装置を提供する。【解決手段】デジタル放送送信装置は、番組を構成する複数の映像音声情報（Ｓａｖ）のそれぞれをメイン映像音声（Ｓａｖ１）およびサブ映像音声（Ｓａｖ２、Ｓａｖ３）に排他的に割り当て、当該サブ映像音声（Ｓａｖ２、Ｓａｖ３）の当該メイン映像音声（Ｓａｖ１）に対する撮影時の位置関係を表す管理情報（Ｉａ；Ｃｐ、Ｃｏ）を当該複数の映像音声情報（Ｓａｖ）と共に送信する。デジタル放送受信装置は複数の映像音声（Ｓａｖｅ）の内で表示中の映像音声（Ｓａｖ１）の周囲に別の映像音声（Ｓａｖ２、Ｓａｖ２）が存在する場合にはその方向に映像（Ｓｖｄ）が存在することを表示（Ｍ）する。【選択図】図１
2008042374.tif 000002
【特許請求の範囲】
【請求項１】
番組を構成する複数の映像音声情報のそれぞれをメイン映像音声およびサブ映像音声に排他的に割り当て、当該サブ映像音声の当該メイン映像音声に対する撮影時の位置関係を表す管理情報を当該複数の映像音声情報と共に送信するデジタル放送送信装置。
【請求項２】
前記複数の映像音声情報と前記管理情報とを多重してトランスポートストリームを生成する多重手段と、
前記トランスポートストリームから特定の番組を構成する映像音声データを抽出するための識別子を記述する番組情報を含めて前記管理情報を生成する番組情報作成手段とを備え、
前記管理情報は前記サブ映像音声が前記メイン映像音声に対してどの方向から撮影されたかを表す位置関係情報を含む請求項１に記載のデジタル放送送信装置。
【請求項３】
前記位置関係情報は、前記メイン映像音声に対してはメインを表す符号、前記サブ映像音声に対しては当該メイン映像音声からの撮影時の方向を示す位置符号と当該方向と同一方向の何番目の映像音声かを示す順位符号により構成される請求項２に記載のデジタル放送送信装置。
【請求項４】
前記撮影位置関係がループ状である場合、前記位置関係情報はループを表すループ符号をさらに含み、前記順位符号は当該映像音声が何番目であるかを表す請求項３に記載のデジタル放送送信装置。
【請求項５】
メイン映像音声およびサブ映像音声に排他的に割り当てられた番組を構成する複数の映像音声情報と、当該サブ映像音声の当該メイン映像音声に対する撮影時の位置関係を表す管理情報とを受信して、前記複数の映像音声の内で表示中の映像音声の周囲に別の映像音声が存在する場合にはその方向に映像が存在することを表示するデジタル放送受信装置。
【請求項６】
前記複数の映像音声情報と前記管理情報とは多重されてトランスポートストリームとして受信され、
前記管理情報は前記トランスポートストリームから前記映像音声データを抽出するための識別子と、メイン映像音声およびサブ映像音声に対してはそれぞれメイン映像音声およびサブ映像音声であることを表す位置符号と、当該サブ映像音声に対してはメイン映像音声からの撮影時の方向を示す位置符号とその方向と同一方向の何番目の映像音声かを示す順位符号とを含み、
前記トランスポートストリームＴＳから前記管理理情報を抽出し管理する番組情報管理手段を備え、
前記複数の映像音声の一つを表示中に、前記抽出された管理情報の位置符号に基づいて、当該表示中の映像音声の周囲に別の映像の存在を検出する請求項５に記載のデジタル放送受信装置。
【請求項７】
前記管理情報はさらにループを表すループ符合を含み、当該フープ符号が記述されている複数の映像音声でその画像順位符号の値が最大の物の次に画像順位符号の値が最小のもがループを形成するものとして位置関係を管理する請求項６に記載のデジタル放送受信装置。
【発明の詳細な説明】
【技術分野】
【０００１】
本発明は、デジタル放送送信装置およびデジタル放送受信装置に関し、さらに詳述すれば、複数の映像音声により番組を構成する放送の送信受信方法およびその装置に関する。
【背景技術】
【０００２】
国際標準規格であるＭＰＥＧ（Ｍｏｖｉｎｇ  Ｐｉｃｔｕｒｅ  Ｅｘｐｅｒｔｓ  Ｇｒｏｕｐ）のデジタル圧縮、符号化および伝送制御方法を用いたデジタル放送が各国で開始されている。デジタル放送においては、それぞれが映像、音声、およびデータなどを含み構成される複数の番組の情報が圧縮されてパケット化される。そして、生成されたパケットには識別子であるＰＩＤ（Ｐａｃｋｅｔ  Ｉｄｅｎｔｉｆｉｅｒ）が付加された後に、１つのトランスポートストリームに多重される。このように複数の番組が多重化されているトランスポートストリームを１つの伝送帯域で送信することにより、多チャンネル化が実現されている。
【０００３】
また、ＭＰＥＧ−２システムでは、伝送制御に関して規定されている。例えば、ＰＳＩ（Ｐｒｏｇｒａｍ  Ｓｐｅｃｉｆｉｃ  Ｉｎｆｏｒｍａｔｉｏｎ）に含まれるＰＭＴ（Ｐｒｏｇｒａｍ  Ｍａｐ  Ｔａｂｌｅ）には多重されたトランスポートストリームから指定の番組の情報を分離するために必要な１番組を構成する映像や音声やデータのＰＩＤが保有される。以降、ＰＳＩおよびＰＭＴを共に番組関連情報と総称する。
【０００４】
放送サービスとしては、複数の映像音声で１番組を構成する、例えばスポーツ中継などのように異なる方向から撮影した複数の映像から成る番組の放送が検討されている。例えば、受信機側で受信した放送を、番組を構成する複数の映像情報や音声情報を個々に分離して、デコード表示する方法がある（例えば、特許文献１）。
【特許文献１】特開２００５−１１７６７９号公報
【発明の開示】
【発明が解決しようとする課題】
【０００５】
受信した複数の映像および音声から成る番組を含む放送から、個々の映像や音声データを抽出するためのＰＩＤ情報に固有のサブ番号を割り当てることによって、パケット単位での管理、データ抽出、デコード、および内容表示が可能となる。その結果、複数の映像および音声の中から特定の映像や音声を指定して視聴ができる。しかしながら、ＰＩＤ情報に割り当てられる固有のサブ番号はユーザにとって意味の無い番号である。つまり、サブ番号からは、パケットに含まれている映像の数および内容をユーザは判別できない。
【０００６】
そのために、サブ番号を使いこなして所望の映像を利用するためには、ユーザは予め複数の映像を一通り確認しておき、ユーザ自身が映像（ＰＩＤ情報）に固有のサブ番号と映像内容との対応表を作成する必要がある。このように、サブ番号を用いることはユーザに対して、利用し難いインタフェースの使用を迫るという問題がある。
【０００７】
よって、本発明は、複数の映像音声からなる番組送受信において、ユーザが複数の映像音声の関係を容易に認識し選択可能なデジタル放送送信装置およびデジタル放送受信装置を提供することを目的とする。
【課題を解決するための手段】
【０００８】
上記目的を達成するために、本発明に係るデジタル放送送信装置は、
番組を構成する複数の映像音声情報のそれぞれをメイン映像音声およびサブ映像音声に排他的に割り当て、当該サブ映像音声の当該メイン映像音声に対する撮影時の位置関係を表す管理情報を当該複数の映像音声情報と共に送信する。
【０００９】
本発明に係るデジタル放送送信装置は、
前記複数の映像音声情報と前記管理情報とを多重してトランスポートストリームを生成する多重手段と、
前記トランスポートストリームから特定の番組を構成する映像音声データを抽出するための識別子を記述する番組情報を含めて前記管理情報を生成する番組情報作成手段とを備え、
前記管理情報は前記サブ映像音声が前記メイン映像音声に対してどの方向から撮影されたかを表す位置関係情報を含むことが望ましい。
【００１０】
前記位置関係情報は、前記メイン映像音声に対してはメインを表す符号、前記サブ映像音声に対しては当該メイン映像音声からの撮影時の方向を示す位置符号と当該方向と同一方向の何番目の映像音声かを示す順位符号により構成されることがのぞましい。
【００１１】
前記撮影位置関係がループ状である場合、前記位置関係情報はループを表すループ符号をさらに含み、前記順位符号は当該映像音声が何番目であるかを表すことが望ましい。
【００１２】
次に、上記目的を達成するために、本発明に係るデジタル放送受信装置は、
メイン映像音声およびサブ映像音声に排他的に割り当てられた番組を構成する複数の映像音声情報と、当該サブ映像音声の当該メイン映像音声に対する撮影時の位置関係を表す管理情報とを受信して、前記複数の映像音声の内で表示中の映像音声の周囲に別の映像音声が存在する場合にはその方向に映像が存在することを表示する。
【００１３】
前記複数の映像音声情報と前記管理情報とは多重されてトランスポートストリームとして受信され、
前記管理情報は前記トランスポートストリームから前記映像音声データを抽出するための識別子と、メイン映像音声およびサブ映像音声に対してはそれぞれメイン映像音声およびサブ映像音声であることを表す位置符号と、当該サブ映像音声に対してはメイン映像音声からの撮影時の方向を示す位置符号とその方向と同一方向の何番目の映像音声かを示す順位符号とを含み、
前記トランスポートストリームＴＳから前記管理情報を抽出し管理する番組情報管理手段を備え、
前記複数の映像音声の一つを表示中に、前記抽出された管理情報の位置符号に基づいて、当該表示中の映像音声の周囲に別の映像の存在を検出することが望ましい。
【００１４】
前記管理情報はさらにループを表すループ符合を含み、当該フープ符号が記述されている複数の映像音声でその画像順位符号の値が最大の物の次に画像順位符号の値が最小のもがループを形成するものとして位置関係を管理することが望ましい。
【発明の効果】
【００１５】
本発明においては、デジタル放送送信装置は撮影時のカメラの位置関係を番組情報に含め送信するため、デジタル放送受信装置では複数の映像音声の位置関係を認識できるので、ユーザは認識した位置関係に基づいて所望の映像音声を選択視聴できる。また、デジタル放送受信装置において、デコード表示している映像画面のどちらの方向に別の映像音声が存在するかを画面表示することでユーザが他の映像音声の位置関係を容易に認識でき、その方向を指示することにより別の映像音声選択が容易である。
【発明を実施するための最良の形態】
【００１６】
以下に、図１、図２、図３、図４、図５、および図６を参照して、本発明の実施の形態に係るデジタル放送送信システムについて説明する。図１に示すように、本実施の形態に係るデジタル放送送信システムＳｄｂは、デジタル放送送信装置Ａｔおよびデジタル放送受信装置Ａｒを含む。デジタル放送送信装置Ａｔは、映像音声入力端子ｔ１〜ｔ３、エンコーダ５〜７、多重器８、送信器９、管理情報生成器１１、番組情報入力器１２、および送信信号出力端子ｔ４を含む。
【００１７】
映像音声入力端子ｔ１〜ｔ３は、それぞれ、外部に設けられた映像音声信号源（図示せず）に接続されて、データや番組情報を表す映像音声信号Ｓaｖ１〜Ｓａｖ３（映像音声信号Ｓａｖと総称する）の入力を受け付ける。エンコーダ５〜７は、それぞれ映像音声入力端子ｔ１〜ｔ３に接続されて、入力される映像音声信号Ｓａｖ１〜Ｓａｖ３をＭＰＥＧ符号化して符号化映像音声信号Ｓａｖｅ１〜Ｓａｖｅ３（符号化映像音声信号Ｓａｖｅと総称する）を生成する。なお、映像音声入力端子ｔ１〜ｔ３およびエンコーダ５〜６の数は３に限定されるものではなく、デジタル放送送信装置Ａｔに入力される映像音声信号Ｓａｖの数だけ用意される。
【００１８】
番組情報入力器１２は、例えばデジタル放送送信装置Ａｔのユーザの操作に応答して、映像音声信号Ｓａｖ１〜Ｓａｖ３のそれぞれが伝送する番組に関する番組情報Ｉｐを生成る。管理情報生成器１１は、番組情報Ｉｐに基づいてデジタル放送受信装置Ａｒで受信したトランスポートストリームＴＳから番組を抽出するために必要とされるＰＡＴ（Ｐｒｏｇｒａｍ  Ａｓｓｏｃｉａｔｉｏｎ  Ｔａｂｌｅ）やＰＭＴなどの管理情報Ｉａを作成する。
【００１９】
多重器８は、エンコーダ５から入力される符号化映像音声信号Ｓｖｅ１〜Ｓｖｅ３と管理情報生成器１１から入力され管理情報Ｉａとをパケット単位で多重して、トランスポートストリームＴＳを生成する。送信器９は、トランスポートストリームＴＳを送信するための変調を施して伝送周波数の送信信号Ｗに変換する。送信信号出力端子ｔ４は、送信器９に接続されて、変調されたトランスポートストリームＴＳを有線あるいは無線でデジタル放送送信装置Ａｔの外部に出力させるために用いられる。
【００２０】
デジタル放送受信装置Ａｒは、受信信号入力端子５ｔ、選局復調器１５、パケット分離器１６、デコーダ１７、制御器１８、ＯＳＤ器１９、合成器２０、表示器２１、リモコン２２、および番組情報管理器２３を含む。リモコン２２は、ユーザの操作に基づいて、ユーザを所望する番組の選局動作の指示信号Ｓｉを生成する。番組情報管理器２３は、デジタル放送受信装置Ａｒが受信した番組情報Ｉｐを記憶管理する。
【００２１】
受信信号入力端子ｔ５は、デジタル放送送信装置Ａｔの送信信号出力端子ｔ４に有線あるいは無線で接続されて、デジタル放送送信装置Ａｔから送信された送信信号Ｗを受信して、デジタル放送受信装置Ａｒの内部に引き入れる。
【００２２】
選局復調器１５は、受信した送信信号Ｗから特定の周波数帯の信号を選択復調して、トランスポートストリームＴＳを出力する。パケット分離器１６は、選局復調器１５から出力されたトランスポートストリームＴＳからパケット単位で符号化映像音声信号Ｓａｖｅと管理情報Ｉａとを分離する。分離されたパケットＳａｖｅはデコーダ１７に入力され、管理情報Ｉａは制御器１８に入力される。なお、制御器１８は入力された管理情報Ｉａから番組情報Ｉｐを抽出して、番組情報管理器２３に入力する。
【００２３】
デコーダ１７は、分離された符号化映像音声信号ＳａｖｅのパケットをＭＰＥＧデコードして、制御器１８から供給される管理情報Ｉａに基づいて、映像信号Ｓｖｄ、音声信号Ｓａｄ、およびデータ信号Ｓｄｄを生成する。制御器１８は、受信するための選局、パケット分離、デコード、およびＯＳＤ表示などデジタル放送受信装置Ａｒの全体動作を制御する。ＯＳＤ器１９は、ＯＳＤメッセージＭを生成する。
【００２４】
合成器２０は、デコーダ１７から出力される映像信号Ｓｖｄと、ＯＳＤ器１９から出力されるＯＳＤ信号Ｍとを合成して映像音声信号Ｓｖｍを生成する。表示器２１は、映像音声信号Ｓａｖに基づいて、送信信号Ｗで送信された映像を表示する。なお、本明細書においては、送信信号Ｗの受信のために当然必要とされる、伝送路およびアンテナなどの手段については説明の簡便上割愛されている。
【００２５】
次に、図２、図３、および図４を参照して、上述の如く構成されたデジタル放送送信装置Ａｔおよびデジタル放送受信装置Ａｒによる番組情報に基づく表示処理について、野球放送でバックネット裏、レフト側、およびライト側の３箇所から撮影された放送を例に説明する。バックネット裏、レフト側、およびライト側のそれぞれから撮影された結果、３種類の映像信号Ｓａｖ１、映像信号Ｓｖ２、および映像信号Ｓａｖ３が、デジタル放送送信装置Ａｔの外部で生成される。
【００２６】
先ず、デジタル放送送信装置Ａｔにおける番組情報の送信処理について説明する。図１に示したデジタル放送送信装置Ａｔにおいて、これらの３種類の映像音声信号Ｓａｖ１〜Ｓａｖ３は、それぞれ映像音声入力端子ｔ１〜ｔ３を介して入力される。そして、映像音声信号Ｓaｖ１〜Ｓａ３は、エンコーダ５〜７によって、それぞれＭＰＥＧエンコードされて、符号化映像音声信号Ｓｖｅ１〜Ｓｖｅ３が生成される。そして、多重器８によって管理情報Ｉａと多重され、送信器９によって変調された後に、送信信号出力端子ｔ４から送信信号Ｗとして送信される。
【００２７】
図２に、管理情報Ｉａとして管理情報生成器１１で生成される、１つの番組を構成するＰＭＴ（Ｐｒｏｇｒａｍ  Ｍａｐ  Ｔａｂｌｅ）の一例を示す。同図において、上段の１行を除く３行のそれぞれは、映像音声入力端子ｔ１〜ｔ３に入力される映像音声信号Ｓaｖ１〜Ｓａｖ３のそれぞれに関するＰＭＴ情報行である。よって、本例においては、ＰＭＴ情報行は、ＰＭＴ（Ｓａｖ１）情報行、ＰＭＴ（Ｓａｖ２）情報行、およびＰＭＴ（Ｓａｖ３）情報行の３種類である。
【００２８】
そして、上段の１行は、各ＰＭＴ情報行を構成する各項目を表す項目列である。本例において、項目列は映像音声信号列Ｃｓ、画像位置列Ｃｐ、画像順位列Ｃｏ、映像ＰＩＤ列Ｃｖ、および音声ＰＩＤ列Ｃａの５種類である。つまり、ＰＭＴ情報行は、映像信号Ｓａｖ毎に作成されているので、Ｉａ＝ＰＭＴ（Ｃｓ）＝（Ｃｐ、Ｃｏ、Ｃｖ、Ｃａ）と表現できる。
【００２９】
映像音声信号列Ｃｓは、そのＰＭＴ情報行が対応する映像信号Ｓａｖが記述される。本例においては、具体的には、Ｓａｖ１、Ｓａｖ２、およびＳａｖ３がそれぞれ記述されている。
【００３０】
画像位置列Ｃｐには、映像信号Ｓａｖがメイン映像音声およびサブ映像音声の何れが割り当てられているかが記述される。なお、サブ映像音声の場合はメイン映像音声との撮影時の位置関係を示す位置情報が記述される。具体的には、メイン映像音声の場合には「Ｍａｉｎ」と、サブ映像音声の場合には「Ｓｕｂ」と記述される。
【００３１】
そして、サブ映像音声がメイン映像音声の左側に位置する場合には「Ｌｅｆｔ」と記述され、右側に位置する場合は「Ｒｉｇｈｔ」と記述される。この場合、右側および左側とは、表示された画像を視聴者であるユーザ側から見た方向を表している。本例においては、映像音声信号Ｓaｖ１、Ｓａｖ２、およびＳａｖ３それぞれに関しては、「Ｍａｉｎ」、「Ｌｅｆｔ」、および「Ｒｉｇｈｔ」であることが記述されている。
【００３２】
画像順位列Ｃｏには、サブ映像音声がメイン映像音声と同一方向である場合に、同一方向の何番目の映像音声かを示す順位番号が記述される。本例においては、映像音声信号Ｓaｖ１に関しては何も記述されず、映像音声信号Ｓaｖ２およびＳａｖ３の双方に関しては、「１」が記述されている。
【００３３】
映像ＰＩＤ列Ｃｖには、トランスポートストリームＴＳから映像データを抽出するための映像ＰＩＤが記述される。本例においては、映像音声信号Ｓaｖ１、Ｓａｖ２、およびＳａｖ３のそれぞれに関して、「２０１」、「３０１」、および「４０１」が記述されている。
【００３４】
音声ＰＩＤ列Ｃａには、トランスポートストリームＴＳから音声データを抽出するための音声ＰＩＤが記述される。本例においては、映像音声信号Ｓaｖ１、Ｓａｖ２、およびＳａｖ３のそれぞれに関して、「２０２」、「３０２」、および「４０２」が記述されている。
【００３５】
上述の映像音声信号列Ｃｓ、画像位置列Ｃｐ、画像順位列Ｃｏ、映像ＰＩＤ列Ｃｖ、および音声ＰＩＤ列Ｃａの情報、つまり番組情報Ｉｐ（ＰＭＴ情報）は、上述の如く番組情報入力器１２によって生成されたものである。本例ではバックネット裏から撮影した映像を「Ｍａｉｎ」、レフト側から撮影した映像をメイン映像の「Ｌｅｆｔ」側映像、ライト側から撮影した映像をメイン映像の「Ｒｉｇｈｔ」側映像とし、それぞれ同一方向には映像１系であるため順位番号１としている。これら番組情報Ｉｐは管理情報生成器１１によって管理情報Ｉａとして生成された後に、多重器８で符号化映像音声信号Ｓａｖｅ１〜Ｓａｖｅ３と共に多重化されて、トランスポートストリームＴＳとして送信される。
【００３６】
次に、デジタル放送送信装置Ａｔから送信された管理情報Ｉａ（番組情報Ｉｐ、ＰＭＴ情報）に基づく、デジタル放送受信装置Ａｒによる表示処理について具体的に説明する。図１に示すデジタル放送受信装置Ａｒにおいて、ユーザがリモコン２２を操作してデジタル放送受信装置Ａｒに対して、視聴を望む番組を指示すると、制御器１８はパケット分離器１６に対しＰＡＴを取得するよう指示する。パケット分離器１６は、トランスポートストリームＴＳから管理情報Ｉａ（ＰＡＴ、ＰＭＴ）を分離する。
【００３７】
制御器１８は、管理情報ＩａからＰＡＴを取得すると共に、視聴希望者が指定した番組のＰＭＴのＰＩＤを抽出して、パケット分離器１６に対しＰＭＴを取得するよう指示する。取得されたＰＭＴは、制御器１８を介して番組情報管理器２３に番組情報Ｉｐとして記憶される。
【００３８】
図３を参照して、上述の制御器１８を介して番組情報管理器２３に記憶される番組情報Ｉｐについて、図２に示したＰＭＴ情報を例にして説明する。番組情報管理器２３に記憶されている番組情報Ｉｐは、それぞれが所定数（本例においては４）の記憶セルを有する記録領域Ｒ４０〜Ｒ４６と、１つの記憶セルを有する記憶領域Ｒ４７とに分類できる。
【００３９】
記録領域Ｒ４０には、Ｍａｉｎに割り当てられた映像音声の番組情報が記憶される。つまり、図２に示されたＰＭＴ（Ｓａｖ１）の画像位置列Ｃｐ、画像順位列Ｃｏ、映像ＰＩＤ列Ｃｖ、および画像順位列Ｃｏの値が順番に記憶されている。
【００４０】
記録領域Ｒ４１にはＬｅｆｔの順位１の番組情報が記録される。つまり、図２に示されたＰＭＴ（Ｓａｖ２）の画像位置列Ｃｐ、画像順位列Ｃｏ、映像ＰＩＤ列Ｃｖ、および画像順位列Ｃｏの値が順番に記憶されている。
【００４１】
記録領域Ｒ４２にはＬｅｆｔの順位２の番組情報が記憶される。本例においては、Ｌｅｆｔの順位２の番組情報は存在しないので、記録領域Ｒ４２には何も記憶されていない。
【００４２】
同様に、記録領域Ｒ４３には、Ｒｉｇｈｔの順位１の番組情報が記録される。つまり、図２に示されたＰＭＴ（Ｓａｖ３）の画像位置列Ｃｐ、画像順位列Ｃｏ、映像ＰＩＤ列Ｃｖ、および画像順位列Ｃｏの値が順番に記憶されている。
【００４３】
記録領域Ｒ４４はＲｉｇｈｔの順位２の番組情報が記録される。本例においては、Ｒｉｇｈｔの順位２の番組情報は存在しないので記録領域Ｒ４４には何も記憶されていない。
【００４４】
さらに、記録領域Ｒ４５にはＵｐの順位１の番組情報が記憶され、記録領域Ｒ４６にはＤｏｗｎの順位１の番組情報が記憶される。Ｕｐとはサブ映像音声がメイン映像音声の上側に位置することを表し、Ｄｏｗｎとはサブ映像音声がメイン映像音声の下側に位置することを表している。本例においては、ＵＰの順位１およびＤｏｗｎの順位１の番組情報は存在しないので記録領域Ｒ４５およびＲ４６には何も記憶されていない。
【００４５】
そして、記録領域Ｒ４７にはデコード表示されている映像音声の画像位置列Ｃｐの値に
画像順位列Ｃｏの値が付されて表示される。本例においては「Ｍａｉｎ」、「Ｌｅｆｔ１」、および「Ｒｉｇｈｔ１」の何れかが記憶される。
【００４６】
本例においては、Ｍａｉｎ、Ｌｅｆｔ、およびＲｉｇｈｔの映像音声がそれぞれ１系のみである。それ故に、記録領域Ｒ４２、Ｒ４４、Ｒ４５、およびＲ４６にはデータが存在しない。
【００４７】
制御器１８は、パケット分離器１６に対して、トランスポートストリームＴＳ中の管理情報Ｉａから、記録領域Ｒ４０に対応するメイン映像音声の映像データのＰＩＤおよび音声データのＰＩＤを抽出するように指示する。さらに制御器１８は、デコーダ１７に対しデコード表示するよう指示する。
【００４８】
そして、制御器１８は、番組情報管理器２３に記憶されている番組情報Ｉｐ（図３）をサーチし、デコード表示している映像のＬｅｆｔ、Ｒｉｇｈｔ、Ｕｐ、Ｄｏｗｎ方向に映像が存在するか確認する。
【００４９】
図３に示した例においては、ＬｅｆｔおよびＲｉｇｈｔともに映像音声（映像音声信号Ｓaｖ２およびＳａｖ３）が存在する。それゆえに、制御器１８はＯＳＤ器１９に、表示画面上のＬｅｆｔとＲｉｇｈｔに映像が存在する旨を表すマークＭを描画させて合成器２０に出力させる。マークＭの画像は、合成器２０によってデコード中の映像である映像信号Ｓｖｄと合成されて映像信号Ｓｖｍとして表示器２１に出力されて表示される。
【００５０】
図４を参照して、映像信号Ｓｖとして表示されるマークＭについて説明する。同図において、四角のフレームは映像音声信号Ｓｖｍを表しており、同フレームの内の中央に表示されている人物状画像および背景は映像信号Ｓｖｄを表している。画面上において人物状画像Ｃの左右に反対方向に向けられた２つの矢印ＭＬおよびＭＲは共にマークＭである。この左右に表示されたマークＭ（矢印ＭＬおよびＭＲ）により、視聴者はＭａｉｎ画像の人物ＣのＬｅｆｔ側およびＲｉｇｈｔ側にも放送されている映像が存在することを認識できる。
【００５１】
この状態で、視聴者がリモコン２２の右キーを押すと、制御器１８は番組情報管理器２３に格納されている番組情報Ｉｐの記録領域Ｒ４７に「Ｍａｉｎ」と記憶されていることから、Ｍａｉｎの映像（Ｓａｖ１）の右側に位置する映像（Ｓaｖ３）の記録領域Ｒ４３から映像ＰＩＤおよび音声ＰＩＤを読み出す。そして、読み出されたＰＩＤに基づいて、パケット分離器１６に対してデータの分離を指示し、デコーダ１７に対して分離されたデータのデコード出力を指示し、記録領域Ｒ４７に画像位置列Ｃｐの値である「Ｒｉｇｈｔ」に画像順位列Ｃｏの値である「１」を付して「Ｒｉｇｈｔ１」を記憶させる。
【００５２】
さらに、制御器１８はデコード表示中のＲｉｇｈｔ１の映像音声（映像音声信号Ｓaｖ３）の周囲に、他の映像音声が存在するかをサーチする。本例においては、Ｒｉｇｈｔ１の映像音声（映像音声信号Ｓaｖ２）のＬｅｆｔ側にはＭａｉｎの映像音声（映像音声信号Ｓaｖ１）が存在するので、制御器１８はＯＳＤ器１９に画面左側に左向き矢印ＭＬを描画させてマークＭを生成し、合成器２０に生成されたマークＭとデコード中の映像信号Ｓｖｄとを合成させて映像音声信号Ｓｖｍを生成し、表示器２１に生成された映像音声を表示させる。
【００５３】
これにより、ユーザはリモコン２２から上下左右キーを操作して表示する映像音声（映像音声信号Ｓａｖ）を指示するだけで、容易に表示映像音声を切り替えて視聴することが可能になる。また、１つの番組に含まれる映像音声信号Ｓａｖの数が多くユーザが自分の視聴している映像音声のポジションが解らなくなった場合にも、リモコン２２から方向キーの中央の決定キーを入力すれば、無条件にメイン映像音声を表示するように構成することによって、より操作性を高めることができる。
【００５４】
以上に、メインのカメラの上下左右に複数のカメラを配して、被写体をそれぞれ異なるアングルで撮影した場合の処理について説明した。次に、図５および図６を参照して、複数のカメラをカーレースなど広域でループ状の場所に、コースに従いループ状に配置した場合の処理について説明する。なお、本例においては、デジタル放送送信装置Ａｔには６つのカメラから６種類のアングルで撮影された映像音声信号Ｓaｖ１、Ｓａｖ２、Ｓａｖ３、Ｓａｖ４、Ｓａｖ５、およびＳａｖ６が入力され、それに伴い映像音声入力端子ｔ１〜ｔ３およびエンコーダ５〜７も増加されて構成されることは上述の通りで有り得る。
【００５５】
図５に、デジタル放送送信装置Ａｔにおける管理情報生成器１１により生成される管理情報Ｉａの一例を示す。図５に示す管理情報Ｉａは、図２に示した例において、画像位置列Ｃｐと画像順位列Ｃｏの間に、ループ表示列ＣＬが挿入されている。ループ表示列ＣＬは、当該映像音声信号Ｓａｖがループを形成するか否かが記憶される項目である。よって、本例においては、Ｉａ＝ＰＭＴ（Ｃｓ、ＣＬ、Ｃｏ，Ｃｖ、Ｃａ）と表現できる。図５からは、映像音声信号Ｓaｖ２〜Ｓａｖ６のそれぞれに関してはＬｏｏｐの記述があり５つの映像音声Ｓａｖ１〜Ｓａｖ６でループが構成されていることがわかる。
【００５６】
図６に、図５に示された同管理情報Ｉａに基づいて、制御器１８を介して番組情報管理器２３に記憶される番組情報Ｉｐについて説明する。番組情報管理器２３に記憶されている番組情報Ｉｐは、図３に表した番組情報Ｉｐと同様に、それぞれが所定数（本例においては５）の記憶セルを有する記録領域Ｒ６０〜Ｒ６５と、１つの記憶セルを有する記憶領域Ｒ６６とに分類できる。
【００５７】
記録領域Ｒ６０にはメインの映像音声の番組情報が記憶される。つまり、図５に示されたＰＭＴ（Ｓａｖ１）の画像位置列Ｃｐ、ループ表示列ＣＬ、画像順位列Ｃｏ、映像ＰＩＤ列Ｃｖ、および画像順位列Ｃｏの値が順番に記憶されている。同様に、記録領域Ｒ６１〜Ｒ６５にはそれぞれ図５に示されたＰＭＴ（Ｓａｖ２）〜ＰＭＴ（Ｓａｖ６）のそれぞれの画像位置列Ｃｐ、ループ表示列ＣＬ、画像順位列Ｃｏ、映像ＰＩＤ列Ｃｖ、および画像順位列Ｃｏの値が順番に記憶されている。なお、画像順位列Ｃｏの値により、映像音声信号Ｓａｖ２、Ｓａｖ３、Ｓａｖ４、Ｓａｖ５、およびＳａｖ６は、映像音声信号Ｓaｖ１に対して、Ｌｅｆｔ１、Ｌｅｆｔ２、Ｌｅｆｔ３、Ｌｅｆｔ４、およびＬｅｆｔ５の関係にある。
【００５８】
そして、記録領域Ｒ６６にはデコード表示されている映像音声の画像位置列Ｃｐの値に画像順位列Ｃｏの値が付されて表示される。本例においては「Ｍａｉｎ」、「Ｌｅｆｔ１」〜「Ｌｅｆｔ５」の何れか記憶される。
【００５９】
このような状態で、メイン映像音声（映像音声信号Ｓaｖ１）をデコード表示中にユーザがリモコンから左キーを操作して指示すると、制御器１８はデコーダ１７に対してＬｅｆｔ１の映像音声（映像音声信号Ｓaｖ２）をデコードさせ、表示器２１に表示するよう指示する。但し、Ｌｅｆｔ１（映像音声信号Ｓaｖ２）は画像位置列Ｃｐによりループ指定されているので、制御器１８はループモードに入る。
【００６０】
ユーザが順番に左キーを操作して指示する場合、制御器１８はＬｅｆｔ５（順位番号が最大）の次にはＬｅｆｔ１（順位番号が最小）が続くとして扱う。ループを抜けるためにはリモコンの決定キーを操作して指示することによりメイン映像にもどすことができる。これにより従来のカーレースなどではトップ集団ばかりが放送されているが、本発明を用いることにより、ユーザが特定のチームやドライバーに着目し、その走りに応じユーザの意思で順次切り替えることにより、着目したチームまたはドライバーの映像を見続けることができる。
【００６１】
上述のように、本発明においては、複数の映像音声からなる番組を受信するにあたり、ユーザが複数の映像音声の関係を容易に認識し選択可能なデジタル放送送信装置およびデジタル放送受信装置を提供するという目的を、特別なハードウェアを必要としない簡単な方法で実現している。
【産業上の利用可能性】
【００６２】
本発明のデジタル放送器は、複数の映像音声と撮影時のその位置関係を送信側から送り、デコード表示した映像と共に他の映像が存在する方向を示すことにより、複数映像音声の認識および選択を容易にすることができ、スポーツ番組や各種イベント放送などの多様なデジタル放送に有用である。
【図面の簡単な説明】
【００６３】
【図１】本発明の実施の形態に係るデジタル放送送システムにおけるデジタル放送受信装置およびデジタル放送受信装置の構成を示すブロック図
【図２】図１のデジタル放送送信装置において生成される管理情報の一例を示す説明図
【図３】図１のデジタル放送送信装置において管理される番組情報の一例を示す説明図
【図４】図１に示したデジタル放送受信装置におけるマーク表示の説明図
【図５】管理情報の図２に示したのとは異なる例を示す説明図
【図６】図５に示した管理情報に対応する番組情報の例を示す説明図
【符号の説明】
【００６４】
Ａｔ    デジタル放送送信装置
ｔ１、ｔ２、ｔ３    映像音声入力端子
ｔ４    送信信号出力端子
５、６、７    エンコーダ
８    多重器
９    送信器
１１    番組情報作成器
１２    指示器
Ａｒ    デジタル放送受信装置
ｔ５    受信信号入力端子
１５    選局復調器
１６    パケット分離器
１７    デコーダ
１８    制御器
１９    ＯＳＤ器
２０    合成器
２１    表示器
２２    リモコン
２３    番組情報管理器
【図１】
2008042374.tif 000003
【図２】
2008042374.tif 000004
【図３】
2008042374.tif 000005
【図４】
2008042374.tif 000006
【図５】
2008042374.tif 000007
【図６】
2008042374.tif 000008